(57)【要約】【課題】ロータリトレイのディスク載置部に反射率が低い光ディスクが載置されていても、光ディスク有を正確に検知するとともに、光ディスクがロータリトレイのディスク載置部に光ディスクが載置されていないとき、光ディスク無を検出することができるようにする。【解決手段】ロータリトレイのディスク載置部の下部側に配設された赤外ＬＥＤによりディスク載置部に向けて赤外光を発光し、ディスク載置部を介して赤外ＬＥＤに対向する位置に所定の角度で傾斜して配設された平面鏡、或いは凹面鏡により赤外光が反射されるようにして、ディスク載置部の下部側に配設されたホトトランジスタにより、平面鏡、或いは凹面鏡により反射された赤外光が受光されたとき、光ディスク無を検出し、ホトトランジスタにより赤外光が受光されないとき、光ディスク有を検出するようにする。【選択図】        図１
2004220661.tif 000002
【特許請求の範囲】
【請求項１】
ロータリトレイのディスク載置部に載置された光ディスクを検出するディスク検出装置において、前記ディスク載置部の下部側に配設され、前記ディスク載置部に向けて赤外光を発光する発光手段と、前記ディスク載置部の下部側に配設され、赤外光を受光する受光手段と、前記ディスク載置部を介して前記発光手段に対向する位置に所定の角度で傾斜して配設された平面鏡、或いは凹面鏡と、前記発光手段と前記受光手段との間に配設された遮光手段とを備え、前記発光手段により発光された赤外光が前記平面鏡、或いは凹面鏡により反射され、前記受光手段が前記平面鏡、或いは凹面鏡により反射された赤外光を受光したとき、光ディスク無を検出し、前記受光手段が赤外光を受光しないとき、光ディスク有を検出するようにしたことを特徴とするディスク検出装置。
【請求項２】
ロータリトレイのディスク載置部に載置された光ディスクを検出するディスク検出装置において、前記ディスク載置部の下部側に配設され、前記ディスク載置部に向けて赤外光を発光する発光手段と、前記発光手段に対向した側が凸面となるように前記発光手段の発光方向に配設された平凸レンズと、前記ディスク載置部の下部側に配設され、赤外光を受光する受光手段と、前記ディスク載置部を介して前記発光手段に対向する位置に所定の角度で傾斜して配設された平面鏡と、前記発光手段と前記受光手段との間に配設された遮光手段とを備え、前記発光手段により発光された赤外光を集光して平行光にし、前記平面鏡により赤外光が反射され、前記受光手段が前記平面鏡により反射された赤外光を受光したとき、光ディスク無を検出し、前記受光手段が赤外光を受光しないとき、光ディスク有を検出するようにしたことを特徴とするディスク検出装置。
【請求項３】
ロータリトレイのディスク載置部に載置された光ディスクを検出するディスク検出装置において、前記ディスク載置部の下部側に配設され、前記ディスク載置部に向けて赤外光を発光する発光手段と、前記ディスク載置部の下部側に配設され、赤外光を受光する受光手段と、前記ディスク載置部を介して前記発光手段に対向する位置に所定の角度で傾斜して配設された反射手段と、前記発光手段と前記受光手段との間に配設された遮光手段とを備え、前記発光手段により発光された赤外光が前記反射手段により反射され、前記受光手段が前記反射手段により反射された赤外光を受光したとき、光ディスク無を検出し、前記受光手段が赤外光を受光しないとき、光ディスク有を検出するようにしたことを特徴とするディスク検出装置。
【請求項４】
前記反射手段は、平面鏡であることを特徴とする請求項２記載のディスク検出装置。
【請求項５】
前記反射手段は、凹面鏡であることを特徴とする請求項２記載のディスク検出装置。
【請求項６】
前記発光手段の発光方向に配設された集光手段を備え、前記発光手段により発光された赤外光を集光して平行光にするようにしたことを特徴とする請求項２記載のディスク検出装置。
【請求項７】
前記集光手段は、前記発光手段に対向した側が凸面となるように配設された平凸レンズであることを特徴とする請求項６記載のディスク検出装置。
【発明の詳細な説明】
【０００１】
【発明の属する技術分野】本発明は、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｋ）等の光ディスクを再生するディスクチェンジャ装置に係り、特にロータリトレイのディスク載置部に載置された光ディスクを検出するディスク検出装置に関する。
【０００２】
【従来の技術】光ディスクの有無を検出するディスク検出装置としては、光ディスクに対向した位置の基板上に赤外ＬＥＤとホトトランジスタとを配設して、赤外ＬＥＤにより発光された光をロータリトレイ上の光ディスクに照射し、光ディスクにより反射された光をホトトランジスタで受光して光ディスク有を検出するものがあった。しかし、ＤＶＤ、ＤＶＤ−ＲＷ（Ｄｉｇｉｔａｌ  Ｖｅｒｓａｔｉｌｅ  Ｄｉｓｃ−ＲｅＷｒｉｔａｂｌｅ）、ＣＤ、ＣＤ−ＲＷ（Ｃｏｍｐａｃｔ  Ｄｉｓｋ−ＲｅＷｒｉｔａｂｌｅ）は、それぞれ反射率が異なるため、光ディスクの反射率が低い場合、ロータリトレイのディスク載置部に光ディスクが載置されていても、光ディスクにより反射された光の強度が低く、その反射光がホトトランジスタにより検出されず、光ディスク無が検出されるという問題点があった。また、低反射率の光ディスクに対応させて、赤外ＬＥＤの発光強度を強くした場合、光ディスクがロータリトレイのディスク載置部に載置されていなくても、ディスクチェンジャ装置内で反射された光がホトトランジスタにより受光され、光ディスク有が検出されるという問題点があった。
【０００３】従来の技術としては、発光手段により光ディスクの載置位置に向けて発光し、光ディスクの載置位置を介して発光手段及び受光手段にそれぞれ対向して配設された第１、第２の反射部材により反射された光を、発光手段と同じ側に配設された受光手段により受光して光ディスクの有無を検出するようにしたものがあった（例えば、特許文献１参照）。
【０００４】また、ロータリトレイのディスク載置部に向けて発光し、ロータリートレイの上部側に設けられた受光素子により光が受光されると光ディスク無を検知し、ロータリートレイの下部側に設けられた受光素子により光が受光されると光ディスク有を検知するようにしたものがあった（例えば、特許文献２参照）。
【０００５】
【特許文献１】特開平８−１９０７６３号公報
【特許文献２】特開２００２−２１６４１５号公報
【０００６】
【発明が解決しようとする課題】しかしながら、従来の技術で述べたもののうち前者においては、発光手段により光ディスクの載置位置に向けて発光し、光ディスクの載置位置を介して発光手段及び受光手段にそれぞれ対向して配設された第１、第２の反射部材により反射された光を、発光手段と同じ側に配設された受光手段により受光して光ディスクの有無を検出することができたが、発光手段からの光を反射する第１の反射部材と、第１の反射部材により反射された光を受光手段に向けて反射する第２の反射部材とを配設しなければならないという問題点があった。
【０００７】また、後者においては、ロータリトレイのディスク載置部に向けて発光し、ロータリートレイの上部側に設けられた受光素子により光が受光されると光ディスク無を検知し、ロータリートレイの下部側に設けられた受光素子により光が受光されると光ディスク有を検知することができたが、光ディスクの反射率が低い場合、ロータリトレイのディスク載置部に光ディスクが載置されていても、光ディスクにより反射された光の強度が低く、その反射光が受光素子により検出されず、光ディスク無が検出されるという上記した問題点があった。
【０００８】本発明は、従来の技術の有するこのような問題点に鑑みてなされたものであり、その目的とするところは、ロータリトレイのディスク載置部に反射率が低い光ディスクが載置されていても、光ディスク有を正確に検知するとともに、光ディスクがロータリトレイのディスク載置部に光ディスクが載置されていないとき、光ディスク無を検出することができるディスク検出装置を提供しようとするものである。
【０００９】
【課題を解決するための手段】上記目的を達成するため本発明においては、ロータリトレイのディスク載置部に載置された光ディスクを検出するディスク検出装置において、前記ディスク載置部の下部側に配設され、前記ディスク載置部に向けて赤外光を発光する発光手段と、前記ディスク載置部の下部側に配設され、赤外光を受光する受光手段と、前記ディスク載置部を介して前記発光手段に対向する位置に所定の角度で傾斜して配設された反射手段と、前記発光手段と前記受光手段との間に配設された遮光手段とを備え、前記発光手段により発光された赤外光が前記反射手段により反射され、前記受光手段が前記反射手段により反射された赤外光を受光したとき、光ディスク無を検出し、前記受光手段が赤外光を受光しないとき、光ディスク有を検出するようにする。
【００１０】前記反射手段は、平面鏡とするとよい。
【００１１】前記反射手段は、凹面鏡とするとよい。
【００１２】また、前記発光手段の発光方向に配設された集光手段を備え、前記発光手段により発光された赤外光を集光して平行光にするようする。
【００１３】前記集光手段は、前記発光手段に対向した側が凸面となるように配設された平凸レンズとするとよい。
【００１４】これらの手段により、ロータリトレイのディスク載置部に反射率が低い光ディスクが載置されていても、光ディスク有を正確に検知するとともに、光ディスクがロータリトレイのディスク載置部に光ディスクが載置されていないとき、光ディスク無を検出することができる。
【００１５】
【発明の実施の形態】以下、適宜図面を参照しながら本発明の実施の形態を詳述する。図１は本発明の実施の形態１に係るディスク検出装置の構成を示す図であり、図２は本発明の実施の形態１に係るディスク検出装置の検出回路を示す回路図であり、図３は本発明の実施の形態２に係るディスク検出装置の構成を示す図であり、図４は本発明の実施の形態３に係るディスク検出装置の構成を示す図である。
【００１６】（実施の形態１）まず、図１の本発明の実施の形態１に係るディスク検出装置の構成を示す図を基に説明する。
【００１７】本発明の実施の形態１に係るディスク検出装置１は、光ディスク２０を載置するロータリトレイのディスク載置部２１の下部側に設けられたプリント基板１０上に配設され、ディスク載置部２１に向けて赤外光２ａを発光する赤外ＬＥＤ２と、ロータリトレイのディスク載置部２１の下部側に設けられたプリント基板１０上に配設され、赤外光を受光するホトトランジスタ３と、ロータリトレイのディスク載置部２１を介して赤外ＬＥＤ２に対向する位置のチャッキングアーム２２の端部に所定の角度で傾斜して配設された平面鏡４と、赤外ＬＥＤ２とホトトランジスタ３と間に配設され、赤外光を遮光する遮光板１１とで構成されている。
【００１８】また、赤外ＬＥＤ２は、図２に示すように、カソード側に接続され抵抗Ｒ１により、直流電源（図示せず）から供給された電流が調整され、所定の光強度の赤外光を発光するようになっている。また、ホトトランジスタ３は、赤外光を受光して、コレクタ側に接続された直流電源（図示せず）から供給された電流をエミッタ側に接続された抵抗Ｒ２に流し、抵抗Ｒ２の両端電圧を出力して光ディスクの有無を検出するようになっている。
【００１９】以上のように構成されたディスク検出装置について、以下その動作について説明する。
【００２０】光ディスク２０がロータリトレイのディスク載置部２１に載置されていない場合、赤外ＬＥＤ２によりロータリトレイのディスク載置部２１に向けて発光された赤外光２ａは、赤外ＬＥＤ２に対向する位置のチャッキングアーム２２の端部に所定の角度で傾斜して配設された平面鏡４に入射する。そして、平面鏡４に入射した赤外光は、平面鏡４により、ホトトランジスタ３に向けて反射され、ホトトランジスタ３により受光される。ホトトランジスタ３は、平面鏡４により反射された赤外光を受光すると、ロータリトレイのディスク載置部２１に光ディスク２０が載置されていないことを検出して、光ディスク無を検出する。
【００２１】また、光ディスク２０がロータリトレイのディスク載置部２１に載置されている場合、赤外ＬＥＤ２によりロータリトレイのディスク載置部２１に向けて発光された赤外光２ａは、光ディスク２０により赤外ＬＥＤ２の方向に反射され、赤外ＬＥＤ２に対向する位置のチャッキングアーム２２の端部に所定の角度で傾斜して配設された平面鏡４に入射しないので、平面鏡４により赤外光が反射されず、ホトトランジスタ３により赤外光が受光されない。ホトトランジスタ３は、赤外光を受光しないと、ロータリトレイのディスク載置部２１に光ディスク２０が載置されていることを検出して、光ディスク有を検出する。なお、光ディスク２０面に形成されたピットにより反射された赤外光の散乱光は、遮光板１１により遮光されて、ホトトランジスタ３に入射しないようになっている。
【００２２】（実施の形態２）次に、図３の本発明の実施の形態２に係るディスク検出装置の構成を示す図を基に説明する。
【００２３】本発明の実施の形態２に係るディスク検出装置１は、光ディスク２０を載置するロータリトレイのディスク載置部２１の下部側に設けられたプリント基板１０上に配設され、ディスク載置部２１に向けて赤外光２ａを発光する赤外ＬＥＤ２と、ロータリトレイのディスク載置部２１の下部側に設けられたプリント基板１０上に配設され、赤外光を受光するホトトランジスタ３と、ロータリトレイのディスク載置部２１を介して赤外ＬＥＤ２に対向する位置のチャッキングアーム２２の端部に所定の角度で傾斜して配設された所定の角度で傾斜して配設された凹面鏡５と、赤外ＬＥＤ２とホトトランジスタ３と間に配設され、赤外光を遮光する遮光板１１とで構成されている。また、赤外ＬＥＤ２とホトトランジスタ３とで構成されるディスク検出装置１の検出回路は、図２と同様になっているので、検出回路の説明は省略する。
【００２４】以上のように構成されたディスク検出装置について、以下その動作について説明する。
【００２５】光ディスク２０がロータリトレイのディスク載置部２１に載置されていない場合、赤外ＬＥＤ２によりロータリトレイのディスク載置部２１に向けて発光された赤外光２ａは、赤外ＬＥＤ２に対向する位置のチャッキングアーム２２の端部に所定の角度で傾斜して配設された凹面鏡５に入射する。そして、凹面鏡５に入射した赤外光は、凹面鏡５により集光され、ホトトランジスタ３に向けて反射され、ホトトランジスタ３により受光される。ホトトランジスタ３は、凹面鏡５により反射された赤外光を受光すると、ロータリトレイのディスク載置部２１に光ディスク２０が載置されていないことを検出して、光ディスク無を検出する。
【００２６】また、光ディスク２０がロータリトレイのディスク載置部２１に載置されている場合、赤外ＬＥＤ２によりロータリトレイのディスク載置部２１に向けて発光された赤外光２ａは、光ディスク２０により赤外ＬＥＤ２の方向に反射され、赤外ＬＥＤ２に対向する位置のチャッキングアーム２２の端部に所定の角度で傾斜して配設された凹面鏡５に入射しないので、凹面鏡５により赤外光が反射されず、ホトトランジスタ３により赤外光が受光されない。ホトトランジスタ３は、赤外光を受光しないと、ロータリトレイのディスク載置部２１に光ディスク２０が載置されていることを検出して、光ディスク有を検出する。なお、なお、光ディスク２０面に形成されたピットにより反射された赤外光の散乱光は、遮光板１１により遮光されて、ホトトランジスタ３に入射しないようになっている。
【００２７】（実施の形態３）また、図４の本発明の実施の形態３に係るディスク検出装置の構成を示す図を基に説明する。
【００２８】本発明の実施の形態３に係るディスク検出装置１は、光ディスク２０を載置するロータリトレイのディスク載置部２１の下部側に設けられたプリント基板１０上に配設され、ディスク載置部２１に向けて赤外光を発光する赤外ＬＥＤ２と、赤外ＬＥＤ２に対向した側が凸面となるように、赤外ＬＥＤ２の発光方向に配設された配設された平凸レンズ６と、ロータリトレイのディスク載置部２１の下部側に設けられたプリント基板１０上に配設され、赤外光を受光するホトトランジスタ３と、ロータリトレイのディスク載置部２１を介して赤外ＬＥＤ２に対向する位置のチャッキングアーム２２の端部に所定の角度で傾斜して配設された所定の角度で傾斜して配設された平面鏡４と、赤外ＬＥＤ２とホトトランジスタ３と間に配設され、赤外光を遮光する遮光板１１とで構成されている。また、赤外ＬＥＤ２とホトトランジスタ３とで構成されるディスク検出装置１の検出回路は、図２と同様になっているので、検出回路の説明は省略する。
【００２９】以上のように構成されたディスク検出装置について、以下その動作について説明する。
【００３０】光ディスク２０がロータリトレイのディスク載置部２１に載置されていない場合、赤外ＬＥＤ２によりロータリトレイのディスク載置部２１に向けて発光された赤外光２ａは、赤外ＬＥＤ２の発光方向に配設された配設された平凸レンズ６により集光されて平行光にされ、赤外ＬＥＤ２に対向する位置のチャッキングアーム２２の端部に所定の角度で傾斜して配設された平面鏡４に入射する。そして、平面鏡４に入射した赤外光は、平面鏡４により、ホトトランジスタ３に向けて反射され、ホトトランジスタ３により受光される。ホトトランジスタ３は、平面鏡４により反射された赤外光を受光すると、ロータリトレイのディスク載置部２１に光ディスク２０が載置されていないことを検出して、光ディスク無を検出する。
【００３１】また、光ディスク２０がロータリトレイのディスク載置部２１に載置されている場合、赤外ＬＥＤ２によりロータリトレイのディスク載置部２１に向けて発光された赤外光２ａは、光ディスク２０により赤外ＬＥＤ２の方向に反射され、赤外ＬＥＤ２に対向する位置のチャッキングアーム２２の端部に所定の角度で傾斜して配設された平面鏡４に入射しないので、平面鏡４により赤外光が反射されず、ホトトランジスタ３により赤外光が受光されない。ホトトランジスタ３は、赤外光を受光しないと、ロータリトレイのディスク載置部２１に光ディスク２０が載置されていることを検出して、光ディスク有を検出する。なお、平凸レンズ６は、赤外ＬＥＤ２に対向した側が凸面となるように配設され、平凸レンズ６により赤外光が集光されて平行光にされているので、光ディスク２０により反射された赤外光が平凸レンズ６の平面側に入射し、光ディスク２０により反射された赤外光の散乱光がホトトランジスタ３に入射しないようになっている。また、平凸レンズ６の凸面により反射された赤外光、光ディスク２０面に形成されたピットにより反射された赤外光の散乱光は、遮光板１１により遮光されて、ホトトランジスタ３に入射しないようになっている。
【００３２】
【発明の効果】以上説明してきたように、本発明によるディスク検出装置によれば、ロータリトレイのディスク載置部の下部側に配設された赤外ＬＥＤによりディスク載置部に向けて赤外光を発光し、ディスク載置部を介して赤外ＬＥＤに対向する位置に所定の角度で傾斜して配設された平面鏡、或いは凹面鏡により赤外光が反射されるようにして、ディスク載置部の下部側に配設されたホトトランジスタにより、平面鏡、或いは凹面鏡により反射された赤外光が受光されたとき、光ディスク無を検出することができ、ホトトランジスタにより赤外光が受光されないとき、光ディスク有を検出することができる。また、赤外ＬＥＤに対向した側が凸面となるように赤外ＬＥＤの発光方向に配設された平凸レンズにより、赤外ＬＥＤにより発光された赤外光を集光して平行光にし、ディスク載置部を介して赤外ＬＥＤに対向する位置に所定の角度で傾斜して配設された平面鏡により平行光の赤外光が反射されるようにして、ディスク載置部の下部側に配設されたホトトランジスタにより、平面鏡により反射された赤外光が受光されたとき、光ディスク無を検出することができ、ホトトランジスタにより赤外光が受光されないとき、光ディスク有を検出するすることができる。このことにより、ロータリトレイのディスク載置部に反射率が低い光ディスクが載置されていても、光ディスク有を正確に検知するとともに、光ディスクがロータリトレイのディスク載置部に光ディスクが載置されていないとき、光ディスク無を検出することができる。
【００３３】請求項１記載の発明に係るディスク検出装置は、ロータリトレイのディスク載置部の下部側に配設された発光手段によりディスク載置部に向けて赤外光を発光し、ディスク載置部を介して発光手段に対向する位置に所定の角度で傾斜して配設された平面鏡、或いは凹面鏡により赤外光が反射されるようにして、ディスク載置部の下部側に配設された受光手段により、平面鏡、或いは凹面鏡により反射された赤外光が受光されたとき、光ディスク無を検出し、受光手段により赤外光が受光されないとき、光ディスク有を検出するようにしている。
【００３４】請求項２記載の発明に係るディスク検出装置は、ロータリトレイのディスク載置部の下部側に配設された発光手段によりディスク載置部に向けて赤外光を発光し、発光手段に対向した側が凸面となるように発光手段の発光方向に配設された平凸レンズにより、発光手段により発光された赤外光を集光して平行光にし、ディスク載置部を介して発光手段に対向する位置に所定の角度で傾斜して配設された平面鏡により平行光の赤外光が反射されるようにして、ディスク載置部の下部側に配設された受光手段により、平面鏡により反射された赤外光が受光されたとき、光ディスク無を検出し、受光手段により赤外光が受光されないとき、光ディスク有を検出するようにしている。
【００３５】請求項３記載の発明に係るディスク検出装置は、ロータリトレイのディスク載置部の下部側に配設された発光手段によりディスク載置部に向けて赤外光を発光し、ディスク載置部を介して前記発光手段に対向する位置に所定の角度で傾斜して配設された反射手段により赤外光が反射されるようにして、前記発光手段と前記受光手段との間に配設された遮光手段とを備え、前記発光手段により発光された赤外光が前記反射手段により反射され、ディスク載置部の下部側に配設された受光手段により、反射手段により反射された赤外光が受光されたとき、光ディスク無を検出し、受光手段により赤外光が受光されないとき、光ディスク有を検出するようにしている。
【００３６】請求項４記載の発明に係るディスク検出装置は、平面鏡により赤外光を反射するようにしている。
【００３７】請求項５記載の発明に係るディスク検出装置は、凹面鏡により赤外光を反射するようにしている。
【００３８】請求項６記載の発明に係るディスク検出装置は、発光手段の発光方向に配設された集光手段により、発光手段により発光された赤外光を集光して平行光にするようにしている。
【００３９】請求項７記載の発明に係るディスク検出装置は、発光手段に対向した側が凸面となるように配設された平凸レンズにより、発光手段により発光された赤外光を集光して平行光にするようにしている。
【図面の簡単な説明】
【図１】本発明の実施の形態１に係るディスク検出装置の構成を示す図である。
【図２】本発明の実施の形態１に係るディスク検出装置の検出回路を示す回路図である。
【図３】本発明の実施の形態２に係るディスク検出装置の構成を示す図である。
【図４】本発明の実施の形態３に係るディスク検出装置の構成を示す図である。
【符号の説明】
１  ディスク検出装置
２  赤外ＬＥＤ
２ａ  赤外光
３  ホトトランジスタ
４  平面鏡
５  凹面鏡
６  平凸レンズ
１０  プリント基板
１１  遮光板
２０  光ディスク
２１  ロータリトレイのディスク載置部
２２  チャッキングアーム
【図１】
2004220661.tif 000003
【図２】
2004220661.tif 000004
【図３】
2004220661.tif 000005
【図４】
2004220661.tif 000006